(57)【特許請求の範囲】
【請求項１】
光源と、
入射光に基づいて照度を検出するセンサと、
前記センサの検出値に基づいて目標値を設定し、前記センサの検出値が、前記目標値により定まる許容範囲内になるように、前記光源を自動調光する光源点灯回路と、
を備え、
前記光源点灯回路は、
自動調光のための基準値として、前記目標値である第１の基準値と、前記第１の基準値よりも大きく、かつ前記目標値により定まる許容範囲の上限値よりも大きい、前記光源を自動消灯させる場合の基準となる第２の基準値と、を設定し、
自動調光中に、前記光源の調光レベルが調光下限に至り、前記調光下限に対応する明るさで前記光源が点灯している状態で、前記センサによる検出を実行した結果、複数回連続で前記センサの検出値が前記第２の基準値よりも大きいという判定結果が得られた場合に、前記光源を消灯させる照明器具。
【請求項２】
請求項１に記載の照明器具において、
前記光源点灯回路は、前記判定結果が得られて前記光源を消灯させる場合に、消灯用の明るさ制御を実行して、前記光源の明るさを、前記調光下限に対応する明るさから徐々に低下させる照明器具。
【請求項３】
請求項１または請求項２に記載の照明器具において、
前記光源として、第１の発光色の第１光源と、第２の発光色の第２光源と、が設けられ、前記第１光源の前記第１の発光色の光と前記第２光源の前記第２の発光色の光とを混合した照明光によって照明が行われている状態で、前記光源点灯回路が、前記第１光源および前記第２光源の各々に対して独立に自動調光制御を行い、その結果として、前記第１光源および前記第２光源が共に消灯する場合に、
前記光源点灯回路は、前記第１光源および前記第２光源のうちのいずれか一方が、いずれか他方に比べてより早く前記調光下限に達し、かつ前記判定結果が得られたときでも、前記いずれか他方が前記調光下限に達し、かつ前記判定結果が得られるまで、前記いずれか一方の前記調光下限に対応する明るさでの点灯を継続させて、前記いずれか一方と前記いずれか他方とを共に消灯させる照明器具。
【発明の詳細な説明】
【技術分野】
【０００１】
本発明は、ＬＥＤ（発光ダイオード）を光源として天井面等に設置される照明器具に関する。
【背景技術】
【０００２】
従来より、ＬＥＤを光源として天井面に取り付けられて下方を照明する照明器具が知られている（例えば、特許文献１参照）。
特許文献１に記載の照明器具は、天井面に吊り下げられる器具本体の底面に、光を下方に照射する複数個のＬＥＤを装備し、透光性を有して器具本体に対してＬＥＤの光が出射する方向を変化させるように回動可能に連結された導光体を備える。
【先行技術文献】
【特許文献】
【０００３】
【特許文献１】特許４３６３３８７号公報（図１、段落００１０）
【発明の概要】
【発明が解決しようとする課題】
【０００４】
特許文献１に記載の照明器具は、導光体を器具本体に対して回動させることにより、配光を容易に変更することができる。
ところで、特許文献１に記載の照明器具と同様に、器具本体の底面に、複数個のＬＥＤを装備し、複数のＬＥＤを調光制御する照明器具が提案されている。
このような従来の照明器具は、センサからの照度値によりＬＥＤを自動調光させる。
しかし、図８に示すように、このような従来の照明器具は、センサの動作中に、時点Ｔ１１および連続する時点Ｔ１２において、例えば人の通過等により信号が連続的に遮られた場合、周囲の明るさとは無関係に、信号が一時的に基準値を下回ってしまう。
従って、このような従来の照明器具は、調光下限においてオンとオフとを繰り返して自己点滅することにより、使用者に違和感を与える。
【０００５】
本発明は、従来の問題を解決するためになされたもので、その目的は、使用者への違和感を防止できる照明器具を提供することを目的とする。
【課題を解決するための手段】
【０００６】
本発明に係る照明器具は、光源と、入射光に基づいて照度を検出するセンサと、前記センサの検出値に基づいて目標値を設定し、前記センサの検出値が、前記目標値により定まる許容範囲内になるように、前記光源を自動調光する光源点灯回路と、を備え、前記光源点灯回路は、自動調光のための基準値として、前記目標値である第１の基準値と、前記第１の基準値よりも大きく、かつ前記目標値により定まる許容範囲の上限値よりも大きい、前記光源を自動消灯させる場合の基準となる第２の基準値と、を設定し、自動調光中に、前記光源の調光レベルが調光下限に至り、前記調光下限に対応する明るさで前記光源が点灯している状態で、前記センサによる検出を実行した結果、複数回連続で前記センサの検出値が前記第２の基準値よりも大きいという判定結果が得られた場合に、前記光源を消灯させる。
【０００７】
本発明に係る照明器具は、前記光源点灯回路は、前記判定結果が得られて前記光源を消灯させる場合に、消灯用の明るさ制御を実行して、前記光源の明るさを、前記調光下限に対応する明るさから徐々に低下させる。
【０００８】
本発明に係る照明器具は、前記光源として、第１の発光色の第１光源と、第２の発光色の第２光源と、が設けられ、前記第１光源の前記第１の発光色の光と前記第２光源の前記第２の発光色の光とを混合した照明光によって照明が行われている状態で、前記光源点灯回路が、前記第１光源および前記第２光源の各々に対して独立に自動調光制御を行い、その結果として、前記第１光源および前記第２光源が共に消灯する場合に、前記光源点灯回路は、前記第１光源および前記第２光源のうちのいずれか一方が、いずれか他方に比べてより早く前記調光下限に達し、かつ前記判定結果が得られたときでも、前記いずれか他方が前記調光下限に達し、かつ前記判定結果が得られるまで、前記いずれか一方の前記調光下限に対応する明るさでの点灯を継続させて、前記いずれか一方と前記いずれか他方とを共に消灯させる。
【発明の効果】
【０００９】
本発明に係る照明器具によれば、使用者への違和感を防止できるという効果を奏する。
【図面の簡単な説明】
【００１０】
【図１】本発明に係る一実施形態の照明器具の斜め下方から視た分解斜視図
【図２】本発明に係る一実施形態の照明器具の垂直断面図
【図３】本発明に係る一実施形態の照明器具の底面図
【図４】本発明に係る一実施形態の照明器具のブロック構成図
【図５】本発明に係る一実施形態の照明器具のフェード制御後の調光と時間との関係図
【図６】本発明に係る一実施形態の照明器具の調光と時間との関係図
【図７】本発明に係る一実施形態の照明器具の変形例の調光と時間との関係図
【図８】従来の照明器具の調光と時間との関係図
【発明を実施するための形態】
【００１１】
以下、本発明に係る一実施形態の照明器具について図面を参照して説明する。
図１に示すように、本発明に係る一実施形態の照明器具１０は、器具本体１１と、器具本体１１の上面に取り付けられる上部ＬＥＤユニット１２と、上部ＬＥＤユニット１２の上部を覆う上部枠１３とを備える。
また、照明器具１０は、上部枠１３の上部に取り付けられる上部パネル１４と、器具本体１１の下面にねじ１６により取り付けられる反射板１５と、反射板１５の下面に取り付けられる下部ＬＥＤユニット１７とを備える。
そして、照明器具１０は、反射板１５の下面に取り付けられる受光ユニット１８と、反射板１５の下面に取り付けられる下部パネル１９とを備える。
【００１２】
図２に示すように、器具本体１１は、天井面１に設置されている引掛シーリング２に掛止されることにより、機械的に取り付けられて電気的に接続される取付金具２０を中央に有する。
器具本体１１は、厚みの薄い金属製板部材により成形されており、中央部天板２１と、中央部天板２１の外側部に接続された上部側板２２と、上部側板２２に接続された側部天板２３と、側部天板２３の外側部に接続された下部側板２４とを有する。
【００１３】
上部ＬＥＤユニット１２は、ＬＥＤ基板２５が器具本体１１の上部側板２２の外面において側方に照射方向を向けて取り付けられており、透光性を有するレンズカバー２６を有する。
上部ＬＥＤユニット１２は、駆動されることにより、レンズカバー２６を通じて器具本体１１の側部および天井面１に向けて光を出射する。
下部ＬＥＤユニット１７は、ＬＥＤ基板２７が器具本体１１の上部側板２２の下面において内方に照射方向を向けて取り付けられており、透光性を有するレンズカバー２８を有する。
下部ＬＥＤユニット１７は、駆動されることにより、レンズカバー２８を通じ、反射板１５により反射した光を器具本体１１の下方に向けて出射する。
【００１４】
図３に示すように、上部ＬＥＤユニット１２は、器具本体１１の＋Ｘ方向に配置される第１上部ＬＥＤユニット２９と、器具本体１１の−Ｘ方向に配置される第２上部ＬＥＤユニット３０とを備える。
また、上部ＬＥＤユニット１２は、器具本体１１の＋Ｙ方向に配置される第３上部ＬＥＤユニット３１と、器具本体１１の−Ｙ方向に配置される第４上部ＬＥＤユニット３２とを備える。
このとき、第２上部ＬＥＤユニット３０は、照射方向を、部屋内のテレビの背面に向けて配置されるのが好ましい。
下部ＬＥＤユニット１７は、器具本体１１の＋Ｙ方向に配置される一対の第１下部ＬＥＤユニット３３と、器具本体１１の−Ｙ方向に配置される一対の第２上部ＬＥＤユニット３４とを備える。
【００１５】
図４に示すように、照明器具１０は、電源部３５と、リモコン受光部３６とを備え、電源部３５に光源点灯回路３７を備える。
光源点灯回路３７は、電源が接続されるチョッパ電源回路ブロック３８と、電源が接続される通電入力回路ブロック３９と、チョッパ電源回路ブロック３８に接続される電源回路ブロック４０とを備える。
また、光源点灯回路３７は、チョッパ電源回路ブロック３８に接続される第１回路ブロック４１と、第２回路ブロック４２と、第３回路ブロック４３と、第４回路ブロック４４とを備える。
【００１６】
第１回路ブロック４１は、複数の第１種ＬＥＤ４５に給電する。第１種ＬＥＤ４５は、白色ＬＥＤであって下部ＬＥＤユニット１７に有する第１下部ＬＥＤユニット３３および第２上部ＬＥＤユニット３４に取り付けられる。
第２回路ブロック４２は、複数の第２種ＬＥＤ４６に給電する。第２種ＬＥＤ４６は、電球色ＬＥＤであって、下部ＬＥＤユニット１７に有する第１下部ＬＥＤユニット３３および第２上部ＬＥＤユニット３４に取り付けられる。
このとき、第１種ＬＥＤ４５と第２種ＬＥＤ４６とは、第１下部ＬＥＤユニット３３および第２上部ＬＥＤユニット３４に２個ずつ互い違いに取り付けられる。
【００１７】
第３回路ブロック４３は、複数の第３種ＬＥＤ４７に給電する。第３種ＬＥＤ４７は、電球色ＬＥＤである。
第３種ＬＥＤ４７は、上部ＬＥＤユニット１２において第２上部ＬＥＤユニット３０を除く、第１上部ＬＥＤユニット２９と、第３上部ＬＥＤユニット３１と、第４上部ＬＥＤユニット３２とに取り付けられる。
第４回路ブロック４４は、第４種ＬＥＤ４８に給電する。第４種ＬＥＤ４８は、上部ＬＥＤユニット１２の第２上部ＬＥＤユニット３０に取り付けられる。
【００１８】
リモコン受光部３６は、電源部３５の電源回路ブロック４０に接続される電源回路ブロック４９と、電源回路ブロック４９に接続されるマイコン周辺回路部５０とを備える。マイコン周辺回路部５０には、通電入力回路ブロック３９からＩＮＴ信号が与えられる。
リモコン受光部３６は、電源回路ブロック４９に接続されるとともにマイコン周辺回路部５０に接続され、外部信号が与えられる信号入力回路ブロック５１を備える。
リモコン受光部３６は、電源回路ブロック４９に接続されるとともにマイコン周辺回路部５０に接続される記憶回路ブロック５２と、マイコン周辺回路部５０に操作信号を与える操作スイッチ（操作ＳＷ）５３とを備える。
【００１９】
リモコン受光部３６は、第１回路ブロック４１と、第２回路ブロック４２と、第３回路ブロック４３と、第４回路ブロック４４とのそれぞれの出力側に接続される過電圧検出入力ブロック５４とを備える。
リモコン受光部３６は、赤外線センサ等から構成される省エネセンサ（センサ）５５から与えられたセンシング信号をマイコン周辺回路部５０とで授受するためのセンサ回路ブロック５６を備える。
リモコン受光部３６は、マイコン周辺回路部５０からのデューティ調光出力を、第１回路ブロック４１と、第２回路ブロック４２と、第３回路ブロック４３と、第４回路ブロック４４とのそれぞれの入力側に与える出力回路ブロック５７を備える。
また、出力回路ブロック５７は、マイコン周辺回路部５０からの昇圧チョップ電源出力をチョッパ電源回路ブロック３８に与える。
【００２０】
光源点灯回路３７は、第１回路ブロック４１を通じて第１種ＬＥＤ４５を、第２回路ブロック４２を通じて第２種ＬＥＤ４６を、それぞれパルス点灯させる。
また、光源点灯回路３７は、第３回路ブロック４３を通じて第３種ＬＥＤ４７を、第４回路ブロック４４を通じて第４種ＬＥＤ４８を、それぞれパルス点灯させる。
そして、光源点灯回路３７は、そのデューティ比（オン時間とオフ時間との比）を変化させて発光時間である発光量を変えて調光制御を行う。
【００２１】
光源点灯回路３７は、センサ平均値＜目標値許容範囲下限であれば、明方向への明るさ調整へ移行する。これとは異なり、目標値許容範囲下限＜センサ平均値であれば、暗方向への明るさ調整へ移行する。
光源点灯回路３７は、調光段数が通常調光段数の最下限の状態で、消灯基準値＜センサ平均値が複数回連続で続いた場合、点灯の明るさ調整動作から消灯の明るさ調整動作へ移行する。
【００２２】
光源点灯回路３７は、センサ電圧の第１基準値を例えば１．０Ｖとして設定しており、第１基準値とは異なるものとして、センサ電圧の第２基準値を消灯基準値に設定することにより、ヒステリシスを有する。
第２基準値である消灯基準値は、以下の数式１により得られる。この場合、αは、例えば第１基準値の２．０倍としている。
【００２３】
【数１】
0005669094.tif 000002
【００２４】
光源点灯回路３７は、点灯の明るさ調整動作から消灯の明るさ調整動作を行う際に第１回路ブロック４１を通じて第１種ＬＥＤ４５を、第２回路ブロック４２を通じて第２種ＬＥＤ４６をフェードで消灯させる。
光源点灯回路３７は、フェードが終了して消灯になった場合に、昇圧チョッパ電源回路ブロック３８からの出力をオフする。
光源点灯回路３７は、昇圧チョッパ閾値切替出力をオフする。
このとき、光源点灯回路３７は、不図示の表示ＬＥＤを点灯させたままとする。
そして、光源点灯回路３７は、フェードでの消灯と、昇圧チョッパ電源回路ブロック３８からの出力のオフと、昇圧チョッパ閾値切替出力のオフの終了後に明るさの測定に移行する。
【００２５】
図５に示すように、光源点灯回路３７は、時点Ｔ１において明るさ測定が複数回連続で、消灯基準値＜センサ入力値となった場合、出力を通常調光段数の最下限からフェード調光段数を使用して消灯へフェードさせる。
光源点灯回路３７は、時点Ｔ１の以後の時点Ｔ２において、フェード消灯後に明るさの測定に移行する。
【００２６】
図６に示すように、光源点灯回路３７は、センサ電圧が第１基準値に対して＋５％よりも大きい領域Ａ１である場合は、明るいと判定して、第１回路ブロック４１および第２回路ブロック４２に対するデューティを下げる。
光源点灯回路３７は、例えばセンサ電圧が第１基準値に対して−１０％よりも小さい領域Ａ２である場合は、暗いと判定して、第１回路ブロック４１および第２回路ブロック４２に対するデューティを上げる。
そして、光源点灯回路３７は、例えばセンサ電圧が第１基準値の±１０％内の領域Ａ３である場合は、状態を変化させない。
さらに、光源点灯回路３７は、例えばセンサ電圧が第１基準値の２．０倍である第２基準値よりも大きい領域Ａ４である場合は、調光下限であれば、消灯動作を実行する。
これにより、光源点灯回路３７は、調光下限で連続して明るい場合は、消灯に至る。
光源点灯回路３７は、時点Ｔ１において、調光下限で第１基準値に対する一定の割合以上に大きく超えている場合は、消灯制御を実行する。
光源点灯回路３７は、時点Ｔ２，時点Ｔ３，時点Ｔ４，時点Ｔ５，時点Ｔ６において、調光下限で連続して明るい場合は、消灯制御を実行する。
このように、光源点灯回路３７は、調光下限に至ったときに、消灯を遅らせる遅延制御を行う。
【００２７】
次に、照明器具１０の変形例について説明する。
図７に示すように、本変形例の光源点灯回路３７は、白色ＬＥＤであって光色Ａの色温度を有する第１種ＬＥＤ４５と、電球色ＬＥＤであって光色Ｂの色温度を有する第２種ＬＥＤ４６とを独立して調光制御する。
下限に向けた調光制御信号がリモコン受光部３６に与えられることにより、第１回路ブロック４１からの調光制御の給電に伴い、時点Ｔ１において第１種ＬＥＤ４５が調光下限値に到達する。
しかし、第１回路ブロック４１は、時点Ｔ１において、第１種ＬＥＤ４５を消灯させずに、調光下限値のまま保持する。
従って、第１種ＬＥＤ４５は、調光下限値のまま点灯を続ける。
【００２８】
時点Ｔ１の以後の時点Ｔ２において、第１種ＬＥＤ４５が調光下限値において点灯中に、第２回路ブロック４２からの調光制御の給電に伴い、時点Ｔ２において第２種ＬＥＤ４６が調光下限値に到達する。
これに伴い、光源点灯回路３７は、第１回路ブロック４１および第２回路ブロック４２からの調光制御の給電を停止させる。
従って、時点Ｔ２において、第１種ＬＥＤ４５および第２種ＬＥＤ４６がいずれも消灯される。
【００２９】
このように、光源点灯回路３７は、調光操作により、第１種ＬＥＤ４５が調光下限となった後に、第２種ＬＥＤ４６が調光下限にきたときに第１種ＬＥＤ４５および第２種ＬＥＤ４６を消灯させる。
従って、光色Ａの第１種ＬＥＤ４５が調光の下限値に到達した際に、光色Ｂの第２種ＬＥＤ４６が調光の下限値以前にあると、光色Ａの第１種ＬＥＤ４５が消灯されずに下限値での点灯を続ける。
これにより、光色Ｂの第２種ＬＥＤ４６の光のみが目立って使用者に違和感を与えることがないので、使用者への違和感を防止できる。
【００３０】
以上、説明したように一実施形態の照明器具１０によれば、第１基準値に対して、連続して複数回同じ領域にある場合に初めて動作することにより、消灯および点灯を繰り返す自己点滅を防止でき、使用者への違和感を防止できる。
【００３１】
また、一実施形態の照明器具１０によれば、消灯する基準値を第１基準値とは異なる第２基準値とすることにより、明るさが第１基準値付近で微妙に変動しているときの自己点滅を防止できる。
そして、一実施形態の照明器具１０によれば、例えば調光１０％から消灯させた場合に、暗くなったと感知してセンサ電圧が低下して再点灯させる自己点滅を防止できる。
【００３２】
さらに、一実施形態の照明器具１０によれば、光源点灯回路３７が、自動調光により、第１種ＬＥＤ４５が調光下限となった後に、第２種ＬＥＤ４６が調光下限にきたときに第１種ＬＥＤ４５および第２種ＬＥＤ４６を消灯させる。
そして、一実施形態の照明器具１０によれば、光色Ａの第１種ＬＥＤ４５が調光の下限値に到達した際に、光色Ｂの第２種ＬＥＤ４６が調光の下限値以前にあると、光色Ａの第１種ＬＥＤ４５が消灯されずに下限値での点灯を続ける。
従って、一実施形態の照明器具１０によれば、光色Ｂの第２種ＬＥＤ４６の光のみが目立って使用者に違和感を与えることがないので、使用者への違和感を防止できる。
【００３３】
加えて、一実施形態の照明器具１０によれば、調光下限への途中で第１種ＬＥＤ４５が消灯してしまった場合に、調光上限へ再度切り換えた際に、電源の能力不足により、消灯された第１種ＬＥＤ４５が点灯を行えなくなることを防止できる。
【００３４】
さらに、一実施形態の照明器具１０によれば、上部ＬＥＤユニット１２の第２上部ＬＥＤユニット３０が、照射方向を部屋内のテレビの背面に向けて配置されることにより、テレビの背面を明るく照射して光の演出ができる。
【００３５】
なお、本発明の照明器具において器具本体，上部枠，上部パネル，反射板，受光ユニット，下部パネル等は、前述した一実施形態に限定されるものでなく、適宜な変形や改良等が可能である。
【符号の説明】
【００３６】
１０  照明器具
３７  光源点灯回路
４５  第１種ＬＥＤ（光源）
４６  第２種ＬＥＤ（光源）
４７  第３種ＬＥＤ（光源）
４８  第４種ＬＥＤ（光源）
５５  省エネセンサ（センサ）
【図１】
0005669094.tif 000003
【図２】
0005669094.tif 000004
【図３】
0005669094.tif 000005
【図４】
0005669094.tif 000006
【図５】
0005669094.tif 000007
【図６】
0005669094.tif 000008
【図７】
0005669094.tif 000009
【図８】
0005669094.tif 000010